(57)【要約】【課題】商取引以外に発生する貨幣処理機の入出金処理を効率化すること。【解決手段】釣銭の補充や売上の回収を行う際に、釣銭機１０は入出金される貨幣の金種及び数を示すデータを生成し、ＩＣカード４０やＩＣチップ８０に書き込む。そして、入出金機５０がＩＣカード４０やＩＣチップ８０から入出金される貨幣の金種及び数を読み取って、釣銭準備金の出金や、回収金の入金を行なう。このため、店員は、入出金する貨幣の金種や数を確認し、記入し、入力するといった作業を行う必要がなくなり、作業負担が軽減されるとともに、ミスや不正の発生を防止することができる。【選択図】図１
2014170421.tif 000002
【特許請求の範囲】
【請求項１】
商取引に基づいて貨幣の入出金を行なう釣銭機等の貨幣処理機を有する貨幣管理システムであって、
前記貨幣処理機に対し、前記商取引以外の入金あるいは出金である商取引外入出金を行う際に、前記商取引外入出金に係る情報を示す商取引外入出金データを生成する商取引外入出金データ生成手段と、
前記商取引外入出金データ生成手段により生成された商取引外入出金データを可搬記憶媒体に書込処理する書込処理手段と
を備えたことを特徴とする貨幣管理システム。
【請求項２】
前記書込処理手段は、前記商取引において電子マネーによる決済を行う際に使用可能な電子マネー端末であることを特徴とする請求項１に記載の貨幣管理システム。
【請求項３】
前記商取引外入出金データ生成手段は、前記商取引外入出金の種別と、商取引外入出金により入金あるいは出金される貨幣の金種及び数とを含む商取引外入出金データを生成することを特徴とする請求項１又は２に記載の貨幣管理システム。
【請求項４】
前記商取引外入出金の種別には、前記貨幣処理機に対する釣銭準備金の補充入金を少なくとも含み、
前記可搬記憶媒体から前記商取引外入出金データを読み取って、前記商取引外入出金の種別が前記補充入金である場合に、前記商取引外入出金データに示された金種及び数の貨幣を釣銭準備金として出金処理する出金機をさらに備えた
ことを特徴とする請求項１，２又は３に記載の貨幣管理システム。
【請求項５】
前記出金機は、前記商取引外入出金の種別が前記補充入金である商取引外入出金データを複数読み取った場合には、該複数の商取引外入出金データから金種毎の合計数を算出し、算出した金種毎の合計数に従って釣銭準備金を出金処理することを特徴とする請求項４に記載の貨幣管理システム。
【請求項６】
前記種別が前記補充入金である商取引外入出金データが前記可搬記憶媒体に書き込まれた後、前記出金機により出金処理された釣銭準備金を前記貨幣処理機に入金処理する際に、前記貨幣処理機に入金処理された貨幣の金種及び数と、前記商取引外入出金データに示された貨幣の金種及び数とが一致するか否かを確認する補充入金確認手段をさらに備えたことを特徴とする請求項４又は５に記載の貨幣管理システム。
【請求項７】
前記商取引外入出金の種別には、前記貨幣処理機からの売上回収を少なくとも含み、
前記可搬記憶媒体から前記商取引外入出金データを読み取って、前記商取引外入出金の種別が前記売上回収である場合に、前記商取引外入出金データに示された金種及び数の貨幣を入金処理する入金機をさらに備えた
ことを特徴とする請求項１〜６のいずれか一つに記載の貨幣管理システム。
【請求項８】
前記書込処理手段は、店員が携行する店員用記憶媒体に前記商取引外入出金データを書き込むことを特徴とする請求項１〜７のいずれか一つに記載の貨幣管理システム。
【請求項９】
前記貨幣処理機は、着脱可能な売上回収用のカセットを備え、
前記書込処理手段は、前記カセットに前記商取引外入出金データを書き込む
ことを特徴とする請求項１〜８のいずれか一つに記載の貨幣管理システム。
【請求項１０】
前記商取引外入出金データ生成手段は、前記貨幣処理機を特定可能な識別情報及び／又は前記商取引外入出金を行った人物を特定可能な識別情報をさらに含んだ商取引外入出金データを生成し、
前記貨幣処理機を特定可能な識別情報及び／又は前記商取引外入出金を行った人物を特定可能な識別情報に基づいて、前記商取引外入出金の履歴を管理する履歴管理手段をさらに備えた
ことを特徴とする請求項１〜９のいずれか一つに記載の貨幣管理システム。
【請求項１１】
前記貨幣処理機に対する釣銭準備金の補充入金を行う際に、曜日と、時間帯と、該補充入金を行う人物に与えられた権限とのうち、少なくともいずれかを用いて補充入金の金種及び数を算出する算出手段をさらに備えたことを特徴とする請求項１〜１０のいずれか一つに記載の貨幣管理システム。
【請求項１２】
商取引に基づいて貨幣の入出金を行なう釣銭機等の貨幣処理機を有する貨幣管理システムの貨幣管理方法であって、
前記貨幣処理機に対し、前記商取引以外の入金あるいは出金である商取引外入出金を行う際に、前記商取引外入出金に係る情報を示す商取引外入出金データを生成する商取引外入出金データ生成ステップと、
前記商取引外入出金データ生成ステップにより生成された商取引外入出金データを可搬記憶媒体に書込処理する書込処理ステップと
を備えたことを特徴とする貨幣管理方法。
【発明の詳細な説明】
【技術分野】
【０００１】
この発明は、商取引に基づいて貨幣の入出金を行なう釣銭機等の貨幣処理機を有する貨幣管理システム及び貨幣管理方法に関する。
【背景技術】
【０００２】
従来、スーパーマーケット及びコンビニエンスストア等の店舗では、商品販売の売り上げ実績を単品単位で集計する販売時点情報管理システム（以下、「ＰＯＳ（Point of Sale）システム」と言う）が導入されることが多い。かかるＰＯＳシステムでは、商品の会計を行う「レジ」と呼ばれる場所にＰＯＳ端末を配設するとともに、このＰＯＳ端末に釣銭機が接続される。
【０００３】
そして、レジを担当する店員は、ＰＯＳ端末を操作して商品の精算を行なうとともに、顧客から渡された代金を釣銭機に入金処理し、必要に応じて釣銭を釣銭機から出金処理することになる（例えば、特許文献１参照。）。
【０００４】
ここで、この釣銭機内の釣銭としての貨幣が不足する場合には、店舗の後方に設置された入出金機から補充用の貨幣を出金し、出金した貨幣が店員の手作業により釣銭機に補充される。また、閉店時等には、釣銭機に貯留された売上金を出金し、出金した貨幣が店員の手作業により入出金機に入金される。
【０００５】
また、ＰＯＳ端末に接続され、店員によって操作される釣銭機以外に、セルフレジシステムやセルフペイシステムにおける精算機においても、釣銭機と同様に釣銭準備金の補充や売上金の回収が行われる（例えば、特許文献２参照。）。
【先行技術文献】
【特許文献】
【０００６】
【特許文献１】特開２０１３−０３７５７３号公報
【特許文献２】特開２０１０−０８６１５８号公報
【発明の概要】
【発明が解決しようとする課題】
【０００７】
しかしながら、釣銭の補充や売上の回収などを店員の手作業で行なうことは、店員にとって大きな負担であり、ミスや不正が発生する原因ともなっていた。この点を具体的に説明すると、釣銭を補充する際には、店員が不足釣銭の内訳（金種／枚数）やレジ番号等を両替票に記入し、入出金機へ両替票の内容を手入力するという作業が必要であった。不足釣銭の内訳は、釣銭機やＰＯＳの表示部を目視確認しつつ記入するのであるが、このような目視確認と手書き、手入力による作業では、見間違い、記入ミス、入力ミスが発生しうる。また、店員が意図的に不正な値を記入又は入力することにより、不正も可能となる。
【０００８】
同様に、売上金を回収する際にも、店員は、操作担当者、レジ番号、金種と枚数の内訳などを入出金機へ手入力するという作業が必要であり、入力ミスや不正が発生する可能性があった。
【０００９】
これらのことから、釣銭の補充や売上の回収など、商取引以外に発生する貨幣処理機の入出金を効率化することで、店員の作業負担を軽減し、ミスの発生を防止し、不正を抑止することが重要な課題となっていた。
【００１０】
本発明は、上記課題を解決するためになされたものであって、商取引以外に発生する貨幣処理機の入出金処理を効率化することができる貨幣管理システム及び貨幣管理方法を提供することを目的とする。
【課題を解決するための手段】
【００１１】
上述した課題を解決し、目的を達成するため、本発明は、商取引に基づいて貨幣の入出金を行なう釣銭機等の貨幣処理機を有する貨幣管理システムであって、前記貨幣処理機に対し、前記商取引以外の入金あるいは出金である商取引外入出金を行う際に、前記商取引外入出金に係る情報を示す商取引外入出金データを生成する商取引外入出金データ生成手段と、前記商取引外入出金データ生成手段により生成された商取引外入出金データを可搬記憶媒体に書込処理する書込処理手段とを備えたことを特徴とする。
【００１２】
また、本発明は、上記発明において、前記書込処理手段は、前記商取引において電子マネーによる決済を行う際に使用可能な電子マネー端末であることを特徴とする。
【００１３】
また、本発明は、上記発明において、前記商取引外入出金データ生成手段は、前記商取引外入出金の種別と、商取引外入出金により入金あるいは出金される貨幣の金種及び数とを含む商取引外入出金データを生成することを特徴とする。
【００１４】
また、本発明は、上記発明において、前記商取引外入出金の種別には、前記貨幣処理機に対する釣銭準備金の補充入金を少なくとも含み、前記可搬記憶媒体から前記商取引外入出金データを読み取って、前記商取引外入出金の種別が前記補充入金である場合に、前記商取引外入出金データに示された金種及び数の貨幣を釣銭準備金として出金処理する出金機をさらに備えたことを特徴とする。
【００１５】
また、本発明は、上記発明において、前記出金機は、前記商取引外入出金の種別が前記補充入金である商取引外入出金データを複数読み取った場合には、該複数の商取引外入出金データから金種毎の合計数を算出し、算出した金種毎の合計数に従って釣銭準備金を出金処理することを特徴とする。
【００１６】
また、本発明は、上記発明において、前記種別が前記補充入金である商取引外入出金データが前記可搬記憶媒体に書き込まれた後、前記出金機により出金処理された釣銭準備金を前記貨幣処理機に入金処理する際に、前記貨幣処理機に入金処理された貨幣の金種及び数と、前記商取引外入出金データに示された貨幣の金種及び数とが一致するか否かを確認する補充入金確認手段をさらに備えたことを特徴とする。
【００１７】
また、本発明は、上記発明において、前記商取引外入出金の種別には、前記貨幣処理機からの売上回収を少なくとも含み、前記可搬記憶媒体から前記商取引外入出金データを読み取って、前記商取引外入出金の種別が前記売上回収である場合に、前記商取引外入出金データに示された金種及び数の貨幣を入金処理する入金機をさらに備えたことを特徴とする。
【００１８】
また、本発明は、上記発明において、前記書込処理手段は、店員が携行する店員用記憶媒体に前記商取引外入出金データを書き込むことを特徴とする。
【００１９】
また、本発明は、上記発明において、前記貨幣処理機は、着脱可能な売上回収用のカセットを備え、前記書込処理手段は、前記カセットに前記商取引外入出金データを書き込むことを特徴とする。
【００２０】
また、本発明は、上記発明において、前記商取引外入出金データ生成手段は、前記貨幣処理機を特定可能な識別情報及び／又は前記商取引外入出金を行った人物を特定可能な識別情報をさらに含んだ商取引外入出金データを生成し、前記貨幣処理機を特定可能な識別情報及び／又は前記商取引外入出金を行った人物を特定可能な識別情報に基づいて、前記商取引外入出金の履歴を管理する履歴管理手段をさらに備えたことを特徴とする。
【００２１】
また、本発明は、上記発明において、前記貨幣処理機に対する釣銭準備金の補充入金を行う際に、曜日と、時間帯と、該補充入金を行う人物に与えられた権限とのうち、少なくともいずれかを用いて補充入金の金種及び数を算出する算出手段をさらに備えたことを特徴とする。
【００２２】
また、本発明は、商取引に基づいて貨幣の入出金を行なう釣銭機等の貨幣処理機を有する貨幣管理システムの貨幣管理方法であって、前記貨幣処理機に対し、前記商取引以外の入金あるいは出金である商取引外入出金を行う際に、前記商取引外入出金に係る情報を示す商取引外入出金データを生成する商取引外入出金データ生成ステップと、前記商取引外入出金データ生成ステップにより生成された商取引外入出金データを可搬記憶媒体に書込処理する書込処理ステップとを含んだことを特徴とする。
【発明の効果】
【００２３】
本発明によれば、釣銭機等の貨幣処理機に対し、商取引以外の入金あるいは出金である商取引外入出金を行う際に、商取引外入出金に係る情報を示す商取引外入出金データを生成して可搬記憶媒体に書込処理するよう構成したので、商取引以外に発生する釣銭機の入出金処理を効率化することができる。
【図面の簡単な説明】
【００２４】
【図１】図１は、実施例１に係る貨幣管理システムにおける釣銭補充及び売上回収について説明するための説明図である。
【図２】図２は、図１に示した釣銭機の外観構成を示す外観構成図である。
【図３】図３は、図１に示した釣銭機の内部構成を示すブロック図である。
【図４】図４は、図１に示した電子マネー端末の内部構成を示すブロック図である。
【図５】図５は、図１に示した入出金機の構成を示すブロック図である。
【図６】図６は、釣銭機による釣銭補充及び売上回収の処理手順を示すフローチャートである。
【図７】図７は、入出金機による釣銭補充及び売上回収の処理手順を示すフローチャートである。
【図８】図８は、釣銭補充操作及び売上回収操作の受付について説明するための説明図である。
【図９】図９は、回収カセット及びカセット受付ユニットの構成について説明するための説明図である。
【図１０】図１０は、回収カセットのカセット受付ユニットへの装填について説明するための説明図である。
【図１１】図１１は、実施例２に係る貨幣管理システムにおける釣銭補充について説明するための説明図である。
【図１２】図１２は、図１１に示した釣銭機の内部構成を示すブロック図である。
【図１３】図１３は、図１１に示した入出金機の内部構成を示すブロック図である。
【図１４】図１４は、釣銭機による釣銭補充及び売上回収の処理手順を示すフローチャートである。
【図１５】図１５は、補充確認処理の詳細について説明するための説明図である。
【図１６】図１６は、入出金機による釣銭補充及び売上回収の処理手順を示すフローチャートである。
【発明を実施するための形態】
【００２５】
以下に、添付図面を参照して、本発明に係る貨幣管理システム及び貨幣管理方法の好適な実施例を詳細に説明する。
【実施例１】
【００２６】
まず、本実施例１に係る貨幣管理システムにおける釣銭補充及び売上回収について説明する。図１は、実施例１に係る貨幣管理システムにおける釣銭補充及び売上回収について説明するための説明図である。
【００２７】
図１（ａ）に示すように、釣銭機１０、ＰＯＳ端末２０及び電子マネー端末３０はレジコーナーに設置され、互いに通信可能に接続されている。ＰＯＳ端末２０は、商品の会計が行なわれた場合に、商品の種類、商品の数、商品の合計会計額、預り金額及び釣銭額を含む会計データを記憶するとともに、釣銭機１０に対して入出金指示を送信する。この入出金指示には、預り金の合計金額と商品の購入合計金額が含まれ、差分を釣銭機１０から出金する。但し、釣銭機１０に入金された金額を預り金の合計金額として用いるモードでは、入出金指示は預り金の合計金額を含まない。
【００２８】
電子マネー端末３０は、商品の会計を電子マネーにより行う場合に、かざされたカードや携帯端末と近距離無線通信し、指定された電子マネーの残高を減算することで決済を行う端末である。このとき、電子マネー端末３０は、図示しないセンターサーバと通信して決済を行う。
【００２９】
釣銭機１０は、貨幣（硬貨及び紙幣）を受け入れて金種別に収納するとともに、所定の金種及び枚数の貨幣を払い出す装置である。店員は、商品の会計が行なわれた場合に、預り金をこの釣銭機１０に入金処理し、釣銭を釣銭機１０から出金処理する。また、釣銭機１０は、入出金処理を行った場合に在高データを更新する。在高データは、釣銭機１０の内部に所在する貨幣の金種毎の数を示すデータである。
【００３０】
釣銭機１０内部に所在する貨幣は、釣銭として使用されるため、釣銭準備金としてある程度の在高を保つことが必要である。在高が所定以下に減少し、釣銭準備金が不足しそうになると、店員は釣銭補充を行う。
【００３１】
釣銭補充を行う場合には、まず、店員は、図１（ａ）に示すように、ＰＯＳ端末２０に対して釣銭補充操作を行う（１）。ＰＯＳ端末２０は、釣銭補充操作を受け付けると、釣銭機１０に対して釣銭補充操作の受付を通知する。釣銭機１０は、釣銭補充操作の受付を通知されたならば、現在の在高を元に補充すべき金種と、その枚数とを示す釣銭補充データを生成する。この釣銭補充データには、少なくとも、補充する金種及び数の他、釣銭機１０が設置されたレジを特定するためのレジＩＤと、釣銭補充を行うことを示す処理区分とが含まれる。
【００３２】
釣銭機１０は、生成した釣銭補充データを電子マネー端末３０に送信する（２）。電子マネー端末３０は、店員によりＩＣカード４０がかざされたならば、このＩＣカード４０に釣銭補充データを書き込む（３）。店員がかざすＩＣカード４０は、店員に個別に付与された店員カードとすることが好適である。店員カードには、店員を識別するための店員ＩＤが予め書き込まれているので、店員カードを使用することにより、補充処理を行う店員を特定できるためである。
【００３３】
店員は、釣銭補充データが書き込まれたＩＣカード４０を携行し、出納室等のバックヤードに設置される入出金機５０まで移動する。入出金機５０は、主に店舗に設置された各釣銭機１０に補充するための貨幣の収納と、各釣銭機１０から回収した貨幣の収納とを行なう装置である。この入出金機５０には、リーダライタ６０が接続されている。
【００３４】
店員がＩＣカード４０をリーダライタ６０にかざすと、リーダライタ６０はＩＣカード４０から釣銭補充データを読み取る（４）。入出金機５０は、リーダライタ６０により釣銭補充データ、すなわち、処理区分が「釣銭補充」であるデータが読み取られたならば、釣銭補充データに示された金種及び数の貨幣を釣銭準備金として出金処理する（５）。
店員は、入出金機５０により出金処理された貨幣を釣銭機１０まで携行し、釣銭機１０に入金処理する（６）ことで、釣銭の補充を行う。
【００３５】
次に、売上回収を行う場合について説明する。売上回収を行う場合には、まず、店員は、図１（ｂ）に示すように、ＰＯＳ端末２０に対して売上回収操作を行う（１）。ＰＯＳ端末２０は、売上回収操作を受け付けると、釣銭機１０に対して売上回収操作の受付を通知する。
【００３６】
釣銭機１０は、売上回収操作の受付を通知されたならば、内部に所在する貨幣を回収カセットに移動させ、回収カセットを取外す（２）。なお、内部に所在する貨幣のうち、紙幣のみを回収カセット７０に移動させ、硬貨は硬貨払出口等へ払い出すこととしてもよい。また、貨幣の一部を翌日の釣銭準備金として機内に残置することとしてもよい。
【００３７】
釣銭機１０は、回収カセット７０に移動させた貨幣の金種と、その枚数とを示す回収金データを生成する。この回収金データには、回収する金種及び数の他、釣銭機１０が設置されたレジを特定するためのレジＩＤと、売上回収を行うことを示す処理区分とが含まれる。なお、紙幣のみを回収カセット７０に移動させ、硬貨は払い出すこととした場合であっても、回収金データには、紙幣と硬貨の双方について金種及び数を持たせることが好適である。
【００３８】
釣銭機１０は、生成した回収金データを電子マネー端末３０に送信する（３）。電子マネー端末３０は、店員により回収カセット７０がかざされたならば、回収カセット７０に付されたＩＣチップ８０に回収金データを書き込む（４）。なお、釣銭補充の場合と同様に、ＩＣカード４０を用いてもよい。
【００３９】
店員は、回収カセット７０を携行し、入出金機５０まで移動する。店員が回収カセット７０のＩＣチップ８０をリーダライタ６０にかざすと、リーダライタ６０はＩＣチップ８０から回収金データを読み取る（５）。また、入出金機５０は、回収カセット７０から取り出された回収金の入金を受け付ける（６）。ここで、回収カセット７０に移動されず、払い出された硬貨がある場合には、硬貨の入金も受け付ける。入出金機５０は、回収金データに示された金種及び数と、実際に入金された貨幣の金種及び数とを比較することにより、回収が適正に行われたかを判定することができる。
【００４０】
このように、実施例１に係る貨幣管理システムでは、釣銭の補充や売上の回収を行う際に、釣銭機１０が入出金される貨幣の金種及び数を示すデータを生成し、ＩＣカード４０やＩＣチップ８０に書き込む。そして、入出金機５０がＩＣカード４０やＩＣチップ８０から入出金される貨幣の金種及び数を読み取る。このため、店員は、入出金する貨幣の金種や数を確認し、記入し、入力するといった作業を行う必要がなくなり、作業負担が軽減されるとともに、ミスや不正の発生を防止することができる。
【００４１】
また、釣銭機１０は、入出金される貨幣の金種及び数を示すデータの書込を電子マネー端末３０に行わせるため、自装置にリーダライタを持つ必要が無い。
【００４２】
次に、図１に示した釣銭機１０の外観構成について説明する。図２は、図１に示した釣銭機１０の外観構成を示す外観構成図である。図２に示すように、釣銭機１０には、ＰＯＳ端末２０等を設置可能となるように上面にスペースを設け、店員操作側である前面及びその近傍に、表示操作部１１、紙幣投入口１４ａ、紙幣払出口１４ｂ、硬貨投入口１２ａ及び硬貨払出口１２ｂを設けている。また、釣銭機１０の下部には、棒金ドロア１３を設けている。
【００４３】
次に、図１に示した釣銭機１０の内部構成について説明する。図３は、図１に示した釣銭機１０の内部構成を示すブロック図である。図３に示すように、釣銭機１０は、表示操作部１１、硬貨処理ユニット１２、棒金ドロア１３、紙幣処理ユニット１４、回収カセット部１５、通信部１６、記憶部１７及び制御部１８を有する。
【００４４】
表示操作部１１は、タッチパネルディスプレイ、インジケータ、ボタン等の入出力装置である。表示操作部１１は、金種別の在高等のデータ情報や各種メッセージを表示可能である。
【００４５】
硬貨処理ユニット１２は、硬貨投入口１２ａに投入された硬貨を受入れて識別し、金種別に収納するとともに、制御部１８から指定された金種及び枚数の硬貨を硬貨払出口１２ｂから払い出す。棒金ドロア１３は、硬貨を所定枚数重ねて包装した棒金を金種別に収納するとともに、取出し（出金）可能となっている。紙幣処理ユニット１４は、紙幣投入口１４ａに投入された紙幣を受入れて識別し、金種別に収納するとともに、制御部１８から指定された金種及び枚数の紙幣を繰出して紙幣払出口１４ｂから払い出したり、回収カセットへ移動させる。
【００４６】
硬貨処理ユニット１２、棒金ドロア１３及び紙幣処理ユニット１４には、開店前に予め釣銭準備金として所定数の貨幣が金種別に収納されている。商品の会計時に顧客が硬貨を支払いに用いたならば、該硬貨は硬貨処理ユニット１２に入金処理される。また、商品の会計時に釣銭として硬貨を払い出す場合には、該硬貨は硬貨処理ユニット１２から出金処理される。釣銭として払い出すことで硬貨が少なくなり、同一金種の棒金が棒金ドロア１３に収納されているならば、棒金ドロア１３から棒金を取り出して、包装を解いて硬貨処理ユニット１２に入金処理する。
【００４７】
硬貨を回収する場合には、回収分の硬貨は硬貨処理ユニット１２から出金処理され、容器等に回収される。また、硬貨を補充する場合には、補充分の硬貨が棒金であるならば棒金ドロア１３に装填され、補充分の硬貨が棒金でなければ硬貨処理ユニット１２に入金処理され、金種別に収納される。
【００４８】
また、商品の会計時に顧客が紙幣を支払いに用いたならば、該紙幣は紙幣処理ユニット１４に入金処理される。また、商品の会計時に釣銭として紙幣を払い出す場合には、該紙幣は紙幣処理ユニット１４から出金処理される。
【００４９】
回収カセット部１５は、回収カセット７０を収納する収納部である。釣銭機１０から紙幣を回収する場合には、回収分の紙幣を回収カセット７０に集め、該回収カセット７０の取り外しを行なう。紙幣を補充する場合には、補充分の紙幣を紙幣投入口１４ａに投入すると、識別されて金種別に収納される。
【００５０】
通信部１６は、ＰＯＳ端末２０及び電子マネー端末３０との通信を行うためのインターフェース部である。商品の会計が行われた場合には、ＰＯＳ端末２０からの入出金指示を通信部１６が受信する。また、ＰＯＳ端末２０からの釣銭補充操作受付通知及び売上回収操作受付通知も、通信部１６が受信する。そして、釣銭補充データ及び回収金データは、通信部１６が電子マネー端末３０に送信する。
【００５１】
記憶部１７は、ハードディスク装置や不揮発性メモリなどからなる記憶デバイスである。記憶部１７には、入出金履歴データ１７ａと、在高データ１７ｂと、レジＩＤ１７ｃと、釣銭準備金データ１７ｄとが記憶される。
【００５２】
入出金履歴データ１７ａは、釣銭機１０の入出金の履歴を示すデータである。在高データ１７ｂは、金種別の在高を示すデータである。レジＩＤ１７ｃは、釣銭機１０が設置されたレジを特定する識別情報である。釣銭準備金データ１７ｄは、釣銭機１０に釣銭準備金として残しておくべき金種及び数を示すデータである。
【００５３】
制御部１８は、釣銭機１０の全体制御を行う制御部であり、入出金処理部１８ａ、釣銭補充処理部１８ｂ及び売上回収処理部１８ｃを有する。入出金処理部１８ａは、釣銭機１０の入出金を管理する処理部である。
【００５４】
入出金処理部１８ａは、ＰＯＳ端末２０からの入出金指示を受信した場合に、該入出金指示を入出金履歴データ１７aに追加して格納するとともに、硬貨処理ユニット１２及び紙幣処理ユニット１４に入出金処理を行なわせる。また、入出金処理部１８ａは、入出金処理に応じて在高データ１７ｂを更新する。具体的には、入金処理が行なわれた場合には、入金処理された金種に対し、入金処理された数を加算して、在高データ１７ｂを更新する。そして、出金処理が行なわれた場合には、出金処理された金種に対し、出金処理された数を減算して、在高データ１７ｂを更新する。
【００５５】
釣銭補充処理部１８ｂは、ＰＯＳ端末２０から釣銭補充操作の受付を通知された場合には、在高データ１７ｂに示された各金種の枚数と、釣銭準備金データ１７ｄに示された各金種の枚数とを比較する。釣銭補充処理部１８ｂは、釣銭準備金に満たない金種と、その差分の枚数と、レジＩＤ１７ｃとを含む釣銭補充データを生成する。このとき、処理区分を「釣銭補充」とする。釣銭補充処理部１８ｂは、生成した釣銭補充データを電子マネー端末３０に送信し、ＩＣカード４０に書き込ませる。
【００５６】
また、釣銭補充処理部１８ｂは、釣銭補充入金が行われた場合には、釣銭補充入金の内容を入出金履歴データ１７aに追加して格納するとともに、入金処理された金種に対し、入金処理された数を加算して、在高データ１７ｂを更新する。
【００５７】
売上回収処理部１８ｃは、ＰＯＳ端末２０から売上回収操作の受付を通知された場合には、紙幣処理ユニット１４内に所在する紙幣を回収カセット７０に移動させる。また、硬貨処理ユニット１２内に所在する硬貨を硬貨払出口１２ｂから払い出す。売上回収処理部１８ｃは、回収カセット７０に移動させた紙幣、並びに硬貨払出口１２ｂから払い出した硬貨について、その金種及び枚数を回収金とし、入出金履歴データ１７aに追加して格納するとともに、出金処理された金種に対し、出金処理された数を減算して、在高データ１７ｂを更新する。このとき、機内に所在する全ての貨幣を回収する場合（全額回収）と、一部の貨幣を釣銭準備金として残値して残りを回収する場合（残値回収）とがある。どちらを実行するかは、予め設定されていたり、操作時に選択されたりする。
【００５８】
そして、売上回収処理部１８ｃは、回収金の金種及び枚数と、レジＩＤ１７ｃとを含む回収金データを生成する。このとき、処理区分を「売上回収」とする。釣銭補充処理部１８ｂは、生成した回収金データを電子マネー端末３０に送信し、回収カセット７０に書き込ませる。
【００５９】
次に、図１に示した電子マネー端末３０の構成について説明する。図４は、図１に示した電子マネー端末３０の構成を示すブロック図である。図４に示すように、電子マネー端末３０は、通信部３１、ＩＣリーダライタ３２、表示部３３、操作部３４及び制御部３５を有する。
【００６０】
通信部３１は、ＰＯＳ端末２０及びセンターサーバとの通信を行うためのインターフェース部である。ＩＣリーダライタ３２は、ＩＣカード４０、客が電子マネー決済に用いるＩＣカード又は携帯端末、回収カセット７０のＩＣチップ８０等がかざされた場合に、データの読み書きを行う装置である。
【００６１】
表示部３３は、ＩＣリーダライタ３２の状態等を表示するディスプレイやインジケータ等である。操作部３４は、電子マネー端末３０に対する操作入力を受け付けるボタン等である。
【００６２】
制御部３５は、電子マネー端末３０を全体制御する処理部であり、決済処理部３５ａ及び決済外処理部３５ｂを有する。決済処理部３５ａは、電子マネーによる商品の会計を行う処理部である。具体的には、決済処理部３５ａは、ＩＣリーダライタ３２にかざされた
ＩＣカード又は携帯端末に関連づけられた電子マネー残高から、商品代金分を減算することで決済を行う。この決済時には、必要に応じてセンターサーバとの通信を行う。
【００６３】
決済外処理部３５ｂは、釣銭補充や売上回収など、決済以外に関するデータ処理を行う処理部である。具体的は、決済外処理部３５ｂは、釣銭補充データのＩＣカード４０への書込と、回収金データのＩＣチップ８０への書込とを行う。
【００６４】
次に、図１に示した入出金機５０の構成について説明する。図５は、図１に示した入出金機５０の構成を示すブロック図である。図５に示すように、入出金機５０は、カセット受付ユニット９０が設置され、リーダライタ６０と接続されている。
【００６５】
カセット受付ユニット９０は、回収カセット７０を受け付けて、回収カセット７０の解錠を行うユニットである。リーダライタ６０は任意の位置に設けることができるが、カセット受付ユニット９０が回収カセット７０を受け付けた状態で、回収カセット７０に付されたＩＣチップ８０からデータを読取り可能な位置に設けることが好適である。また、ＩＣカード４０からデータを読み取るためのリーダライタ６０と、回収カセット７０からデータを読み取るためのリーダライタ６０とを個別に設けてもよい。
【００６６】
入出金機５０は、その内部に表示操作部５１、硬貨処理ユニット５２、棒金処理ユニット５３、紙幣処理ユニット５４、記憶部５６及び制御部５７を有する。
【００６７】
表示操作部５１は、タッチパネルディスプレイ等の入出力装置である。表示操作部５１は、金種別の在高を表示可能である。また、表示操作部５１は、入出金機５０への補充のための入金操作の受付、並びに入出金機５０からの回収のための出金操作の受付を行なう。
【００６８】
硬貨処理ユニット５２は、硬貨を金種別に収納するとともに、指示された金種・枚数の硬貨を払い出す硬貨リサイクル部と、硬貨を回収する硬貨回収部を備えている。棒金処理ユニット５３は、硬貨を所定枚数重ねて包装した棒金を金種別に収納する収納部である。紙幣処理ユニット５４は、紙幣を金種別に収納するとともに、指示された金種・枚数の紙幣を払い出す紙幣リサイクル部と、紙幣を回収する紙幣回収部を備えている。
【００６９】
硬貨処理ユニット５２、棒金処理ユニット５３及び紙幣処理ユニット５４には、開店前に予め補充準備金として所定数の貨幣が金種別に収納されている。釣銭機１０に硬貨を補充する場合には、補充分の硬貨は硬貨処理ユニット５２又は棒金処理ユニット５３から出金処理される。また、釣銭機１０から回収した硬貨は、硬貨処理ユニット５２に入金処理される。
【００７０】
また、釣銭機１０に紙幣を補充する場合には、補充分の紙幣は紙幣処理ユニット５４から出金処理される。また、釣銭機１０から回収した紙幣は、補充分の紙幣は紙幣処理ユニット５４に入金処理される。
【００７１】
記憶部５６は、ハードディスク装置や不揮発性メモリなどからなる記憶デバイスである。記憶部５６には、入出金履歴データ５６ａと、在高データ５６ｂとが記憶される。入出金履歴データ５６ａは、入出金機５０の入出金の履歴を示すデータである。在高データ５６ｂは、入出金機５０の金種別の在高を示すデータである。
【００７２】
制御部５７は、入出金機５０の全体制御を行う制御部であり、入出金処理部５７ａ及び在高管理部５７ｂを有する。入出金処理部５７ａは、入出金機５０の入出金を管理する処理部である。
【００７３】
入出金処理部５７ａは、リーダライタ６０がＩＣカード４０又はＩＣチップ８０からデータを読み取った場合に、読み取ったデータの処理区分が「釣銭補充」である、すなわち読み取ったデータが釣銭補充データである場合には、釣銭補充データを入出金履歴データ５６ａに追加して格納するとともに、硬貨処理ユニット５２、棒金処理ユニット５３及び紙幣処理ユニット５４に出金処理を行なわせる。このとき、リーダライタ６０は、ＩＣカード４０又はＩＣチップ８０のＩＣチップのデータを更新する（例えば、「出金済み」の情報を付加する）。
【００７４】
また、入出金処理部５７ａは、リーダライタ６０がＩＣカード４０又はＩＣチップ８０からデータを読み取った場合に、読み取ったデータの処理区分が「売上回収」である、すなわち読み取ったデータが回収金データである場合には、回収金データを入出金履歴データ５６ａに追加して格納するとともに、硬貨処理ユニット５２、棒金処理ユニット５３及び紙幣処理ユニット５４に入金処理を行なわせる。ここで、入金処理を行った貨幣の金種及び数と、回収金データに示された金種及び数とが一致すれば、売上回収処理が完了し、図示されないプリンタから明細レシートを発行するとともに、リーダライタ６０がＩＣチップのデータを更新する（例えば、「回収済み」の情報を付加する）。一方、一致しない場合は、エラー報知を行う。エラー報知としては、レジＩＤや一致しない金種及び数等の情報を表示操作部５１に表示する等の手法がとられる。
【００７５】
在高管理部５７ｂは、入出金処理部５７ａにより行なわれた入出金処理に応じて在高データ５６ｂを更新する処理部である。具体的には、入金処理が行なわれた場合には、入金処理された金種に対し、入金処理された数を加算して、在高データ５６ｂを更新する。そして、出金処理が行なわれた場合には、出金処理された金種に対し、出金処理された数を減算して、在高データ５６ｂを更新する。
【００７６】
次に、釣銭機１０による釣銭補充及び売上回収の処理手順について説明する。図６は、釣銭機１０による釣銭補充及び売上回収の処理手順を示すフローチャートである。図６に示すように、まず、釣銭補充処理部１８ｂは、ＰＯＳ端末２０が釣銭補充操作を受け付けたか否かを判定する（ステップＳ１０１）。
【００７７】
ＰＯＳ端末２０が釣銭補充操作を受け付けたならば（ステップＳ１０１；Ｙｅｓ）、釣銭補充処理部１８ｂは、在高データ１７ｂに示された各金種の枚数と、釣銭準備金データ１７ｄに示された各金種の枚数とを比較し、釣銭準備金に満たない金種と、その差分の枚数とを釣銭準備金の補充分として算出する（ステップＳ１０２）。
【００７８】
釣銭補充処理部１８ｂは、算出した釣銭準備金の補充分と、レジＩＤ１７ｃとを含み、処理区分が「釣銭補充」である釣銭補充データを生成する（ステップＳ１０３）。そして、釣銭補充処理部１８ｂは、生成した釣銭補充データを電子マネー端末３０に送信する（ステップＳ１０４）。
【００７９】
ステップＳ１０４の後、又はＰＯＳ端末２０が釣銭補充操作を受け付けていない場合（ステップＳ１０１；Ｎｏ）、売上回収処理部１８ｃは、ＰＯＳ端末２０が売上回収操作を受け付けたか否かを判定する（ステップＳ１０５）。ＰＯＳ端末２０が売上回収操作を受け付けていなければ（ステップＳ１０５；Ｎｏ）、釣銭機１０は、釣銭補充及び売上回収の処理を終了する。
【００８０】
ＰＯＳ端末２０が売上回収操作を受け付けたならば（ステップＳ１０５；Ｙｅｓ）、売上回収処理部１８ｃは、紙幣処理ユニット１４内に所在する紙幣を回収カセット７０に移動させる（ステップＳ１０６）。このとき、必要であれば、硬貨処理ユニット１２内に所在する硬貨を硬貨払出口１２ｂから払い出す。また、このとき、全額回収か残置回収のいずれかを実行する。
【００８１】
売上回収処理部１８ｃは、回収カセット７０に移動させた紙幣、並びに硬貨払出口１２ｂから払い出した硬貨について、その合計金額や金種毎の枚数等を回収金情報として算出する（ステップＳ１０７）。
【００８２】
売上回収処理部１８ｃは、算出された回収金情報と、レジＩＤ１７ｃとを含み、処理区分が「売上回収」である回収金データを生成する（ステップＳ１０８）。そして、売上回収処理部１８ｃは、生成した回収金データを電子マネー端末３０に送信して（ステップＳ１０９）、回収カセットが取外されると（ステップＳ１１０）、処理を終了する。なお、営業途中に売上金の回収が行われた場合は、代わりの回収カセットが取り付けられて営業を継続する。
【００８３】
次に、入出金機５０による釣銭補充及び売上回収の処理手順について説明する。図７は、入出金機５０による釣銭補充及び売上回収の処理手順を示すフローチャートである。図７に示す処理手順は、リーダライタ６０がＩＣカード４０又はＩＣチップ８０からデータを読み取った場合に開始する。
【００８４】
入出金処理部５７ａは、まず、リーダライタ６０が読み取ったデータの処理区分が「釣銭補充」である、すなわち、リーダライタ６０が読み取ったデータが釣銭補充データであるか否かを判定する（ステップＳ２０１）。
【００８５】
読み取ったデータが釣銭補充データならば（ステップＳ２０１；Ｙｅｓ）、入出金処理部５７ａは、釣銭補充データを入出金履歴データ５６ａに追加し、在高管理部５７ｂは、在高データ５６ｂを更新する（ステップＳ２０２）。その後、入出金処理部５７ａは、釣銭補充データに示された金種及び枚数を釣銭準備金として出金処理を行って（ステップＳ２０３）、ＩＣカード４０又はＩＣチップ８０のデータを更新し（ステップＳ２１２）、処理を終了する。
【００８６】
リーダライタ６０が読み取ったデータの処理区分が「釣銭補充」でなければ（ステップＳ２０１；Ｎｏ）、入出金処理部５７ａは、処理区分が「売上回収」である、すなわち、リーダライタ６０が読み取ったデータが回収金データであるか否かを判定する（ステップＳ２０４）。処理区分が「売上回収」でもない場合には（ステップＳ２０４；Ｎｏ）、入出金処理部５７ａは、不明なデータを読み取ったことを示すエラー報知を行い（ステップＳ２１１）、処理を終了する。
【００８７】
読み取ったデータが回収金データであるならば（ステップＳ２０４；Ｙｅｓ）、入出金処理部５７ａは、回収金の入金を受け付ける（ステップＳ２０５）。そして、入出金処理部５７ａは、入金された貨幣の金種及び数が、回収金データに示された金種及び数と一致するか否かを判定する（ステップＳ２０６）。
【００８８】
入出金処理部５７ａは、入金された貨幣の金種及び数が、回収金データに示された金種及び数と一致しなければ（ステップＳ２０６；Ｎｏ）、かかる不一致についてエラー報知を行う（ステップＳ２０８）。その後、強制確定操作を受け付けていなければ（ステップＳ２０９；Ｎｏ）、入出金処理部５７ａは、入金処理の再実行を行い（ステップＳ２１０）、ステップＳ２０６に移行する。
【００８９】
入金された貨幣の金種及び数が、回収金データに示された金種及び数と一致した場合（ステップＳ２０６；Ｙｅｓ）、もしくは、強制確定操作を受け付けた場合（ステップＳ２０９；Ｙｅｓ）、入出金処理部５７ａは、回収金データを入出金履歴データ５６ａに追加し、在高管理部５７ｂは、在高データ５６ｂを更新して（ステップＳ２０７）、ＩＣカード４０又はＩＣチップ８０のデータを更新し（ステップＳ２１２）、処理を終了する。
【００９０】
次に、釣銭補充操作及び売上回収操作の受付について説明する。図８は、釣銭補充操作及び売上回収操作の受付について説明するための説明図である。釣銭補充操作及び売上回収操作を受け付けるプログラムが起動されると、ＰＯＳ端末２０は、初期画面Ｄ１を表示する。
【００９１】
初期画面Ｄ１は、「フロントリンク」及び「終了」のボタンを含む。「フロントリンク」ボタンは、店舗のレジ近傍（フロント）とバックヤードとが連携して行う釣銭補充及び売上回収に関する処理を行うためのボタンである。「終了」ボタンは、釣銭補充操作及び売上回収操作を受け付けるプログラムを終了させるためのボタンである。
【００９２】
初期画面Ｄ１において「フロントリンク」ボタンが操作されると、ＰＯＳ端末２０は、メイン画面Ｄ２を表示する。メイン画面Ｄ２は、「釣銭補充」ボタン、「売上回収」ボタン及び「戻る」ボタンを含む。また、メイン画面Ｄ２は、リーダライタ６０が使用可能な状態（オンライン）であるか否かの表示を含む。ここで、「戻る」ボタンが操作されると、ＰＯＳ端末２０は初期画面Ｄ１の表示に戻る。
【００９３】
メイン画面Ｄ２において「釣銭補充」ボタンが操作されると、ＰＯＳ端末２０は、釣銭機１０に対して釣銭補充操作受付通知を送信する。釣銭機１０は、釣銭補充操作受付通知を受けて釣銭補充データを生成し、電子マネー端末３０に送信する。そして、ＰＯＳ端末２０は、データ書込要求画面Ｄ３ａを表示する。
【００９４】
データ書込要求画面Ｄ３ａは、「釣銭補充データを書き込みます」及び「カードをかざしてください」のメッセージ表示と、リーダライタ６０の状態と、「キャンセル」ボタンとを含む。「キャンセル」ボタンが操作されたならば、ＰＯＳ端末２０は、メイン画面Ｄ２の表示に戻る。
【００９５】
電子マネー端末３０は、ＩＣカード４０がかざされると、ＩＣカード４０に釣銭補充データを書き込み、書き込んだ釣銭補充データをＰＯＳ端末２０に通知する。この通知を受けたＰＯＳ端末２０は、データ書込通知画面Ｄ４ａを表示する。
【００９６】
データ書込通知画面Ｄ４ａは、書き込んだ釣銭補充データの内容と、「釣銭補充内容をご確認ください」のメッセージ表示と、「確認」ボタンとを含む。ここでは、釣銭補充データのレジ番号が「１２３」、処理区分が「釣銭補充（ＤＳＲ：出金）」、金種及び枚数が「一万円札０枚、五千円札１０枚、千円札３０枚、二千円札０枚、五百円硬貨４０枚、百円硬貨９０枚、五十円硬貨４０枚、十円硬貨１００枚、五円硬貨２０枚及び一円硬貨１００枚」であり、入出金機５０から出金される金額の合計が「１１２２００円」である場合を示している。なお、処理区分の「ＤＳＲ」は入出金機５０を示し、処理区分が「ＤＳＲ：出金」は、入出金機５０から出金が行われることを示している。
【００９７】
データ書込通知画面Ｄ４ａにおいて、「確認」ボタンが操作されたならば、ＰＯＳ端末２０は、メイン画面Ｄ２を表示する。
【００９８】
メイン画面Ｄ２において「売上回収」ボタンが操作されると、ＰＯＳ端末２０は、釣銭機１０に対して売上回収操作受付通知を送信する。釣銭機１０は、売上回収操作受付通知を受けて回収金データを生成し、電子マネー端末３０に送信する。そして、ＰＯＳ端末２０は、データ書込要求画面Ｄ３ｂを表示する。
【００９９】
データ書込要求画面Ｄ３ｂは、「回収金データを書き込みます」及び「カセットをかざしてください」のメッセージ表示と、リーダライタ６０の状態と、「キャンセル」ボタンとを含む。「キャンセル」ボタンが操作されたならば、ＰＯＳ端末２０は、メイン画面Ｄ２の表示に戻る。
【０１００】
電子マネー端末３０は、回収カセット７０がかざされると、ＩＣチップ８０に回収金データを書き込み、書き込んだ回収金データをＰＯＳ端末２０に通知する。この通知を受けたＰＯＳ端末２０は、データ書込通知画面Ｄ４ｂを表示する。
【０１０１】
データ書込通知画面Ｄ４ｂは、書き込んだ回収金データの内容と、「回収金内容をご確認ください」のメッセージ表示と、「確認」ボタンとを含む。ここでは、回収金データのレジ番号が「１２３」、処理区分が「売上回収（ＤＳＲ：入金）」、金種及び枚数が「一万円札１００枚、五千円札１０１枚、千円札１０２枚、二千円札１０３枚、五百円硬貨１０４枚、百円硬貨１０５枚、五十円硬貨１０６枚、十円硬貨１０７枚、五円硬貨１０８枚及び一円硬貨１０９枚」であり、入出金機５０に入金される金額の合計が「１８８２５１９円」である場合を示している。なお、処理区分の「ＤＳＲ」は入出金機５０を示し、処理区分が「ＤＳＲ：入金」は、入出金機５０に入金が行われることを示している。
【０１０２】
データ書込通知画面Ｄ４ｂにおいて、「確認」ボタンが操作されたならば、ＰＯＳ端末２０は、メイン画面Ｄ２を表示する。
【０１０３】
次に、回収カセット７０及びカセット受付ユニット９０の構成について説明する。図９は、回収カセット７０及びカセット受付ユニット９０の構成について説明するための説明図である。図９（ａ）に示す回収カセット７０は、短手方向であって水平方向に延在する揺動軸を有し、回収カセット７０の上方筐体部７１は、下方筐体部７２に対して当該揺動軸を中心に上下方向に揺動自在となっている。
【０１０４】
また、回収カセット７０は、図示しないロック部を有し、ロック部によりロックされているときには、回収カセット７０の上方筐体部７１は、下方筐体部７２に対して揺動軸を中心として揺動することができないが、ロック部のロックが解除されることで、上方筐体部７１が揺動軸を中心として上下方向に揺動することができる。そして、上方筐体部７１が上方に揺動されることで、回収カセット７０内に収容された貨幣を取り出すことができるようになる。
【０１０５】
図９（ｂ）に示すカセット受付ユニット９０は、回収カセット７０を装填することができ、当該回収カセット７０を奥側に押し込むことができるスライドベース部９１と、回収カセット７０の押し込みを規制したり、その規制を解除したりすることができ、スライド可能なカバー部材９２と、回収カセット７０のロック部を解除するためのロック解除部９３と、回収カセット７０の状態などを表示する表示部９４とを有している。
【０１０６】
ロック解除部９３は、その内部に図示しないキーを有しており、回収カセット７０を奥側に押し込むことに連動してキーが回動されて、回収カセット７０のロック部のロックが解除される。なお、ロック解除部９３には、キーを回動させるモータ部を有していてもよい。このようなモータ部を有する場合には、回収カセット７０のロック部に当該キーが差し込まれ、モータ部でキーが回動されることで、ロック部のロックが解除されることとなる。
【０１０７】
そして、回収カセット７０は下面にＩＣチップ８０を備え、カセット受付ユニット９０はスライドベース部９１にリーダライタ６０を備えている。このため回収カセット７０をカセット受付ユニット９０に装填すると、リーダライタ６０にＩＣチップ８０がかざされた状態となる。
【０１０８】
次に、回収カセット７０のカセット受付ユニット９０への装填について説明する。図１０は、回収カセット７０のカセット受付ユニット９０への装填について説明するための説明図である。
【０１０９】
図１０（ａ）に示すように、まず、店員は、回収カセット７０をスライドベース部９１に設置する。図１０（ｂ）は、回収カセット７０がスライドベース部９１に設置された状態を示している。
【０１１０】
回収カセット７０がスライドベース部９１に設置されると、リーダライタ６０は、ＩＣチップ８０からデータを読み取る。カセット受付ユニット９０は、リーダライタ６０により読み取られたデータが回収金データであることを条件に、回収カセット７０のロックを解除可能な状態とする。回収カセット７０のロックが解除可能であることは、表示部９４に表示する。なお、回収カセット７０のロックを解除可能とする条件として、ＩＣチップ８０のデータが読み取られることに加えて、リーダライタによって係員のＩＣカードが読み取られ、所定の入力操作が行われることを付加してもよい。
【０１１１】
表示部９４の表示により、ロックが解除可能であることを確認した店員は、図１０（ｃ）に示すようにスライドベース部９１に設置された回収カセット７０を奥側に押し込む。これにより、回収カセット７０のロック部にキーが差し込まれる。そして、回収カセット７０が更に押し込まれることに連動して、キーが回動されて、ロック部のロックが解除される。
【０１１２】
この結果、図１０（ｄ）に示すように、店員は、上方筐体部７１を下方筐体部７２に対して上方に揺動し、回収カセット７０の内部に収容された貨幣を取り出して、入出金機５０に入金処理することができる。なお、回収カセット７０が奥側に押し込まれてロック部のロックが解除されると、表示部９４にはロック解除中を示す表示が行われる。
【０１１３】
上述してきたように、本実施例１では、釣銭の補充や売上の回収を行う際に、釣銭機１０が入出金される貨幣の金種及び数を示すデータを生成し、電子マネー端末３０を利用してＩＣカード４０やＩＣチップ８０に書き込む。そして、入出金機５０がＩＣカード４０やＩＣチップ８０から入出金される貨幣の金種及び数を読み取る。かかる構成により、入出金する貨幣の金種や数を確認し、記入し、入力するといった作業を店員が行う必要がなくなり、商取引以外に発生する釣銭機の入出金を効率化することができる。
【実施例２】
【０１１４】
本実施例２では、複数の釣銭機に対して一括して釣銭補充を行なう構成について説明する。また、状況に応じて釣銭準備金の枚数を変更する、釣銭補充金として入金処理された貨幣の枚数を確認する等の変形例についても併せて説明する。
【０１１５】
図１１は、実施例２に係る貨幣管理システムにおける釣銭補充について説明するための説明図である。図１１に示すように、実施例２では、複数の釣銭機１１０がそれぞれＰＯＳ端末２０及び電子マネー端末３０と接続されている。これらの釣銭機１１０は、釣銭補充操作及び売上回収操作を店員から直接受け付けることが可能である。
【０１１６】
釣銭機１１０は、店員から釣銭補充操作を受け付けると、実施例１と同様に、釣銭補充データを生成し、電子マネー端末３０に送信する。電子マネー端末３０は、店員によりＩＣカード１４０がかざされたならば、このＩＣカード１４０に釣銭補充データを書き込む。ここで、ＩＣカード１４０は、複数の釣銭機１１０からの釣銭補充データをそれぞれ保持することができる。図１１では、２台の釣銭機１１０からそれぞれ釣銭補充データを書き込まれた状態（３ａ及び３ｂ）を示している。
【０１１７】
この状態で入出金機１５０のリーダライタ１６０にＩＣカード１４０をかざすと、リーダライタ１６０は、２つの釣銭補充データを読み取ることとなる（４ａ及び４ｂ）。入出金機１５０は、このように複数の釣銭補充データを読み取った場合には、複数の釣銭補充データに示された金種及び枚数を合計し、合計分の貨幣を釣銭準備金として出金処理する（５）。
【０１１８】
店員は、入出金機１５０により出金処理された貨幣を複数の釣銭機１１０まで携行し、順次入金処理することで、釣銭の補充を行う（６ａ及び６ｂ）。各釣銭機１１０は、入金処理された貨幣の金種及び枚数と、自装置が釣銭補充データの生成時に算出した貨幣の金種及び枚数とが一致するか否かを判定する釣銭準備金確認処理（７ａ及び７ｂ）を行なう。
【０１１９】
このように、実施例２に係る貨幣管理システムでは、店員が複数の釣銭機１１０に対して順次釣銭補充操作を行なって、各釣銭機１１０が生成した釣銭補充データを単一のＩＣカード１４０に書き込ませ、入出金機１５０から一括して釣銭準備金の払出を行なうことができるので、店員の作業負担をさらに軽減することができる。
【０１２０】
釣銭準備金を一括して払い出す場合には、払い出した貨幣が各釣銭機１１０に適切に分配されるかが問題となるが、各釣銭機１１０は釣銭準備金確認処理を行なって自装置に入金処理された貨幣の金種及び枚数が適正か否かを判定するので、店員は、貨幣の適切な分配を簡易に行なうことができる。
【０１２１】
次に、図１１に示した釣銭機１１０の内部構成について説明する。図１２は、図１１に示した釣銭機１１０の内部構成を示すブロック図である。図１２に示す釣銭機１１０は、表示操作部１１が店員による釣銭補充操作及び売上回収操作を直接受け付け可能である点が実施例１に示した釣銭機１０と異なる。また、記憶部１７が、釣銭準備金データ１７ｄに換えて釣銭準備金算出基準データ１１２を記憶する点が実施例１に示した釣銭機１０と異なる。また、制御部１８は、釣銭準備金算出処理部１１３ａ、補充確認処理部１１３ｃ及び閉店確認処理部１１３ｄをさらに備え、釣銭補充処理部１８ｂの動作が実施例１に示した釣銭機１０と異なる。その他の構成及び動作は、実施例１に示した釣銭機１０と同様であるので、同一の構成要素には同一の符号を付して説明を省略する。
【０１２２】
釣銭準備金算出処理部１１３ａは、釣銭準備金算出基準データ１１２を用いて補充すべき貨幣の金種及び枚数を算出する処理部である。準備するべき釣銭の金種及び枚数は、曜日や時間帯によって異なる。また、店員の権限によって、入出金機１５０から出金処理可能な金額に上限が設けられることもある。釣銭準備金算出基準データ１１２は、これらの曜日、時間帯、店員の権限などから補充入金の金種及び数を算出するための基準を示すデータである。例えば、週末には平日よりも釣銭準備金が多くなるように設定されたり、１日の中でも閉店近くには他の時間帯よりも釣銭準備金が少なくなるように設定される。
【０１２３】
本実施例２では、釣銭補充処理部１８ｂは、釣銭準備金算出処理部１１３ａが算出した貨幣の金種及び枚数を使用して釣銭補充を行なう。このため、状況に適応した柔軟な釣銭補充が可能となる。
【０１２４】
補充確認処理部１１３ｃは、釣銭補充において入金処理された貨幣の金種及び枚数と、釣銭準備金算出処理部１１３ａが算出した貨幣の金種及び枚数とが一致するか否かを判定する処理部である。判定の結果、入金処理された貨幣に不足がある場合には、補充確認処理部１１３ｃは、入金の不足を店員に通知する。そして、過剰に貨幣が入金処理された場合には、過剰分の貨幣を払い出す処理を行なう。この作用により、複数台の釣銭機に補充すべき釣銭準備金が一括して持ち込まれた場合であっても、係員に負担を掛けることなく、各釣銭機に適切な量の釣銭準備金を補充できる。
【０１２５】
閉店確認処理部１１３ｄは、売上回収処理部１８ｃが売上回収処理を行なった場合に、回収金の金種及び枚数と、在高データ１７ｂに示された金種及び枚数とを比較し、整合がとれているかを確認する処理部である。入出金が適正に行なわれていれば、売上回収時の回収金と、在高データ１７ｂとは整合がとれているはずであり、不整合が生じている場合には、入出金が適正に行なわれていないことが示唆される。そこで、閉店確認処理部１１３ｄは、確認の結果、不整合が生じている場合には、所定の権限を有する店員に通知を行なう。なお、残置回収が実行された場合には、残置データを考慮した比較が行われる。
【０１２６】
次に、図１１に示した入出金機１５０の内部構成について説明する。図１３は、図１１に示した入出金機１５０の内部構成を示すブロック図である。図１３に示す入出金機１５０は、カセット受付ユニット１８０が回収カセットを受け付けると、回収カセット内部の紙幣を紙幣処理ユニット１５１に搬送することができる。このため、店員は回収カセットから紙幣を取り出す必要がなく、回収カセットをカセット受付ユニット１８０に装填するのみで紙幣を入出金機１５０に入金処理することができる。具体的には、回収カセットあるいはカセット受付ユニット１８０に繰り出し機構が配置され、解錠後に紙幣が繰出されて、入出金機内へ送り込まれる構造になっている。また、リーダライタ１６０は、上述したように、複数の釣銭機１１０が書き込んだデータを順次読み出すことができる。また、制御部５７は、リーダライタ１６０が複数の釣銭補充データを読み出した場合に、釣銭準備金の金種及び枚数を合算する釣銭準備金合算処理部１５２をさらに備え、入出金処理部５７ａは、釣銭準備金合算処理部１５２により合算された釣銭準備金の払出を行なう。その他の構成及び動作は、実施例１に示した入出金機１５０と同様であるので、同一の構成要素には同一の符号を付して説明を省略する。
【０１２７】
次に、釣銭機１１０による釣銭補充及び売上回収の処理手順について説明する。図１４は、釣銭機１１０による釣銭補充及び売上回収の処理手順を示すフローチャートである。図１４に示すように、まず、釣銭補充処理部１８ｂは、表示操作部１１が釣銭補充操作を受け付けたか否かを判定する（ステップＳ３０１）。
【０１２８】
表示操作部１１が釣銭補充操作を受け付けたならば（ステップＳ３０１；Ｙｅｓ）、釣銭準備金算出処理部１１３ａは、釣銭準備金算出基準データ１１２を用いて補充すべき貨幣の金種及び枚数を算出する（ステップＳ３０２）。
【０１２９】
釣銭補充処理部１８ｂは、釣銭準備金算出処理部１１３ａが算出した釣銭準備金の補充分と、レジＩＤ１７ｃとを含み、処理区分が「釣銭補充」である釣銭補充データを生成する（ステップＳ３０３）。そして、釣銭補充処理部１８ｂは、生成した釣銭補充データを電子マネー端末３０に送信する（ステップＳ３０４）。電子マネー端末３０にＩＣカード１４０あるいは回収カセットがかざされると、釣銭機補充データが書き込まれる。このとき、複数台の釣銭機に対応する釣銭補充データを追加書き込み可能となっているものとする。
【０１３０】
ステップＳ３０４の後、又は表示操作部１１が釣銭補充操作を受け付けていない場合（ステップＳ３０１；Ｎｏ）。売上回収処理部１８ｃは、表示操作部１１が売上回収操作を受け付けたか否かを判定する（ステップＳ３０５）。表示操作部１１が売上回収操作を受け付けていなければ（ステップＳ３０５；Ｎｏ）、釣銭機１１０は、釣銭補充及び売上回収の処理を終了する。
【０１３１】
表示操作部１１が売上回収操作を受け付けたならば（ステップＳ３０５；Ｙｅｓ）、売上回収処理部１８ｃは、紙幣処理ユニット１４内に所在する紙幣を回収カセット７０に移動させる（ステップＳ３０６）。このとき、必要であれば、硬貨処理ユニット１２内に所在する硬貨を硬貨払出口１２ｂから払い出す。また、このとき、全額回収か残置回収のいずれかを実行する。
【０１３２】
売上回収処理部１８ｃは、回収カセット７０に移動させた紙幣、並びに硬貨払出口１２ｂから払い出した硬貨について、その合計金額や金種毎の枚数等を回収金情報として算出する（ステップＳ３０７）。
【０１３３】
ステップＳ３０７の後、閉店確認処理部１１３ｄは、回収金の金種及び枚数と、在高データ１７ｂに示された金種及び枚数とを比較し、整合がとれているかを確認する閉店確認処理を行なう（ステップＳ３０８）。
【０１３４】
ステップＳ３０８の後、売上回収処理部１８ｃは、算出された回収金情報と、レジＩＤ１７ｃとを含み、処理区分が「売上回収」である回収金データを生成する（ステップＳ３０９）。そして、売上回収処理部１８ｃは、回収カセットが取外されると（ステップＳ３１０）、生成した回収金データを電子マネー端末３０に送信して（ステップＳ３１１）、処理を終了する。
【０１３５】
次に、釣銭機１１０に釣銭補充金が入金される際の補充確認処理の詳細について説明する。図１５は、補充確認処理の詳細について説明するための説明図である。補充確認処理部１１３ｃは、まず、店員による釣銭補充入金が行なわれたかを判定する（ステップＳ４０１）。店員による釣銭補充入金を受け付けていない場合には（ステップＳ４０１；Ｎｏ）、補充確認処理部１１３ｃは、ステップＳ４０１に移行することで、釣銭補充入金の受け付けを待機する。
【０１３６】
店員による釣銭補充入金を受け付けた場合には（ステップＳ４０１；Ｙｅｓ）、補充確認処理部１１３ｃは、入金された貨幣を計数する（ステップＳ４０２）。そして、入金された貨幣の金種及び枚数と、ステップＳ３０２で算出した貨幣の金種及び枚数とを比較する（ステップＳ４０３）。その結果、入金された貨幣の金種及び枚数と、ステップＳ３０２で算出した貨幣の金種及び枚数とが一致したならば（ステップＳ４０３；一致）、補充確認処理部１１３ｃは、そのまま処理を終了する。
【０１３７】
ステップＳ４０３の比較の結果、入金処理された貨幣に不足がある場合には（ステップＳ４０３；不足）、補充確認処理部１１３ｃは、入金の不足を店員に通知する（ステップＳ４０４）。ステップＳ４０４の後、強制確定操作を受け付けていなければ（ステップＳ４０５；Ｎｏ）、補充確認処理部１１３ｃは、入金処理された貨幣を全て返却して（ステップＳ４０６）、ステップＳ４０２に移行する。一方、強制確定操作を受け付けたならば（ステップＳ４０５；Ｙｅｓ）、補充確認処理部１１３ｃは、そのまま処理を終了する。
【０１３８】
ステップＳ４０３の比較の結果、入金処理された貨幣が過剰である場合には（ステップＳ４０３；過剰）、補充確認処理部１１３ｃは、入金過剰を店員に通知する（ステップＳ４０７）。ステップＳ４０７の後、強制確定操作を受け付けていなければ（ステップＳ４０８；Ｎｏ）、補充確認処理部１１３ｃは、過剰分の貨幣を払い出して（ステップＳ４０９）、処理を終了する。一方、強制確定操作を受け付けたならば（ステップＳ４０８；Ｙｅｓ）、補充確認処理部１１３ｃは、そのまま処理を終了する。
【０１３９】
次に、入出金機１５０による釣銭補充及び売上回収の処理手順について説明する。図１６は、入出金機１５０による釣銭補充及び売上回収の処理手順を示すフローチャートである。図１６に示す処理手順は、リーダライタ１６０がＩＣカード１４０又はＩＣチップ８０からデータを読み取った場合に開始する。
【０１４０】
入出金処理部５７ａは、まず、リーダライタ６０が読み取ったデータの処理区分が「釣銭補充」である、すなわち、リーダライタ６０が読み取ったデータが釣銭補充データであるか否かを判定する（ステップＳ５０１）。
【０１４１】
読み取ったデータが釣銭補充データならば（ステップＳ５０１；Ｙｅｓ）、釣銭準備金合算処理部１５２は、釣銭準備金の金種及び枚数を合算する処理を行なう（ステップＳ５０２）。但し、釣銭補充データが１台分しかない場合は、釣銭補充データをそのまま使用することになる。入出金処理部５７ａは、釣銭補充データを入出金履歴データ５６ａに追加し、在高管理部５７ｂは、在高データ５６ｂを更新する（ステップＳ５０３）。その後、入出金処理部５７ａは、釣銭準備金合算処理部１５２により合算された釣銭準備金を出金処理し（ステップＳ５０４）、ＩＣカード１４０又はＩＣチップ８０のデータを更新し（ステップＳ５１３）、処理を終了する。
【０１４２】
リーダライタ１６０が読み取ったデータの処理区分が「釣銭補充」でなければ（ステップＳ５０１；Ｎｏ）、入出金処理部５７ａは、処理区分が「売上回収」である、すなわち、リーダライタ６０が読み取ったデータが回収金データであるか否かを判定する（ステップＳ５０５）。処理区分が「売上回収」でもない場合には（ステップＳ５０５；Ｎｏ）、入出金処理部５７ａは、不明なデータを読み取ったことを示すエラー報知を行い（ステップＳ５１２）、処理を終了する。
【０１４３】
読み取ったデータが回収金データであるならば（ステップＳ５０５；Ｙｅｓ）、カセット受付ユニット１８０は、回収カセット内部の紙幣を紙幣処理ユニット１５１に搬送することで、回収金を入金して回収処理する（ステップＳ５０６）。そして、入出金処理部５７ａは、入金された貨幣の金種及び数が、回収金データに示された金種及び数と一致するか否かを判定する（ステップＳ５０７）。
【０１４４】
入出金処理部５７ａは、入金された貨幣の金種及び数が、回収金データに示された金種及び数と一致しなければ（ステップＳ５０７；Ｎｏ）、かかる不一致についてエラー報知を行う（ステップＳ５０９）。その後、強制確定操作を受け付けていなければ（ステップＳ５１０；Ｎｏ）、入出金処理部５７ａは、入金処理の再実行を行い（ステップＳ５１１）、ステップＳ５０７に移行する。
【０１４５】
入金された貨幣の金種及び数が、回収金データに示された金種及び数と一致した場合（ステップＳ５０７；Ｙｅｓ）、もしくは、強制確定操作を受け付けた場合（ステップＳ５１０；Ｙｅｓ）、入出金処理部５７ａは、回収金データを入出金履歴データ５６ａに追加し、在高管理部５７ｂは、在高データ５６ｂを更新して（ステップＳ５０８）、ＩＣカード１４０又はＩＣチップ８０のデータを更新し（ステップＳ５１３）、処理を終了する。
【０１４６】
上述してきたように、本実施例２では、店員が複数の釣銭機１１０に対して順次釣銭補充操作を行なって、各釣銭機１１０が生成した釣銭補充データを単一のＩＣカード１４０に書き込ませ、入出金機１５０が一括して釣銭準備金の払出を行なうよう構成したので、店員の作業負担をさらに軽減することができる。
【０１４７】
また、各釣銭機１１０は釣銭準備金確認処理を行なって自装置に入金処理された貨幣の金種及び枚数が適正か否かを判定するので、店員は、貨幣の適切な分配を簡易に行なうことができる。また、曜日、時間帯、店員の権限などに応じて釣銭準備金を変更することができるので、状況に適応した柔軟な釣銭補充が可能となる。また、カセット受付ユニット１８０に回収カセットを装填すると、回収カセットから紙幣処理ユニット１５１に貨幣を搬送するので、店員の作業負担をさらに軽減することができる。
【０１４８】
なお、上記実施例１及び２では、本発明を釣銭機に適用した場合について説明を行ったが、本発明は、釣銭機に限定されるものではない。例えば、セルフレジシステムやセルフペイシステムにおける精算機に適用することも可能である。セルフレジシステムやセルフペイシステムにおける精算機は、精算処理を店員が行うか、客が行うかの違いはあるが、装置の構成、作用や、釣銭準備金の補充処理や売上金の回収処理を店員が行う点等については、釣銭機と共通する。
【０１４９】
また、上記実施例１及び２で図示した各構成は機能概略的なものであり、必ずしも物理的に図示の構成をされていることを要しない。すなわち、各装置の分散・統合の形態は図示のものに限られず、その全部又は一部を各種の負荷や使用状況などに応じて、任意の単位で機能的又は物理的に分散・統合して構成することができる。
【０１５０】
例えば、釣銭機と電子マネー端末とを一体に構成してもよい。また、実施例１及び２では、電子マネー端末を利用する構成について説明を行なったが、釣銭準備金データや回収金データを書き込むための専用のリーダライタを設けてもよい。
【０１５１】
また、上記実施例１及び２では、売上回収時には回収カセットのＩＣチップに回収金データを書き込む場合について説明を行なったが、売上げ回収時にもＩＣカードを使用することとしてもよい。さらに、ＩＣカードや回収カセットに限らず、任意の可搬記憶媒体を利用することができる。また、ＩＣカードから店員ＩＤを読み出し、釣銭機及び入出金機の入出金履歴データに格納してもよい。
【０１５２】
また、入出金機５０及び１５０に替えて、釣銭機１０及び１１０から回収した貨幣の入金処理を行なう回収金入金装置と、釣銭機１０へ補充する貨幣の出金処理を行なう補充金出金装置とを設けてもよい。また、入金機のみを設置して、売上金の回収処理は上記実施例と同様の方式を採用し、釣銭準備金の補充処理は別の方式を採用するようにしてもよい。同様に、出金機のみを設置して、釣銭準備金の補充処理は上記実施例と同様の方式を採用し、売上金の回収処理は別の方式を採用するようにしてもよい。
【０１５３】
また、釣銭機が、別体の硬貨釣銭機及び紙幣釣銭機によって構成されてもよい。また、硬貨釣銭機のみをレジに設置してもよいし、紙幣釣銭機のみをレジに設置しても良い。
【０１５４】
また、上記実施例１及び２では、釣銭機１０又は１１０が補充すべき貨幣の金種及び枚数を決定する構成を例に説明を行なったが、補充すべき貨幣の金種及び枚数の決定は、入出金機５０又は１５０等、他の装置が行なうように構成してもよい。
【産業上の利用可能性】
【０１５５】
以上のように、本発明に係る貨幣管理システム及び貨幣管理方法は、商取引以外に発生する釣銭機の入出金処理の効率化に適している。
【符号の説明】
【０１５６】
１０、１１０  釣銭機
１１、５１  表示操作部
１２、５２  硬貨処理ユニット
１２ａ  硬貨投入口
１２ｂ  硬貨払出口
１３  棒金ドロア
１４、５４、１５１  紙幣処理ユニット
１４ａ  紙幣投入口
１４ｂ  紙幣払出口
１５  回収カセット部
１６、３１  通信部
１７、５６  記憶部
１７ａ、５６ａ  入出金履歴データ
１７ｂ、５６ｂ  在高データ
１７ｃ  レジＩＤ
１７ｄ  釣銭準備金データ
１８、３５、５７  制御部
１８ａ、５７ａ  入出金処理部
１８ｂ  釣銭補充処理部
１８ｃ  売上回収処理部
２０  ＰＯＳ端末
３０  電子マネー端末
３２  ＩＣリーダライタ
３３、９４  表示部
３４  操作部
３５ａ  決済処理部
３５ｂ  決済外処理部
４０、１４０  ＩＣカード
５０、１５０  入出金機
５３  棒金処理ユニット
５７ｂ  在高管理部
６０、１６０  リーダライタ
７０  回収カセット
７１  上方筐体部
７２  下方筐体部
８０、  ＩＣチップ
９０、１８０  カセット受付ユニット
９１  スライドベース部
９２  カバー部材
９３  ロック解除部
１１２  釣銭準備金算出基準データ
１１３ａ  釣銭準備金算出処理部
１１３ｃ  補充確認処理部
１１３ｄ  閉店確認処理部
１５２  釣銭準備金合算処理部
【図１】
2014170421.tif 000003
【図２】
2014170421.tif 000004
【図３】
2014170421.tif 000005
【図４】
2014170421.tif 000006
【図５】
2014170421.tif 000007
【図６】
2014170421.tif 000008
【図７】
2014170421.tif 000009
【図８】
2014170421.tif 000010
【図９】
2014170421.tif 000011
【図１０】
2014170421.tif 000012
【図１１】
2014170421.tif 000013
【図１２】
2014170421.tif 000014
【図１３】
2014170421.tif 000015
【図１４】
2014170421.tif 000016
【図１５】
2014170421.tif 000017
【図１６】
2014170421.tif 000018